(57)【要約】【課題】被調理物がどのような工程を経て調理されているかを特定することが可能な調理温度記録システムを提供する。【解決手段】調理温度記録システム１０であって、加熱工程における被調理物の温度及び冷却工程における被調理物の温度をそれぞれ取得することが可能な温度センサ２１と、加熱工程の工程種別を取得することが可能なバーコード読取部１７と、加熱工程における調理の終了時刻及び冷却工程における調理の開始時刻を取得することが可能な内蔵時計１６と、加熱工程における調理の終了後に、冷却工程の工程種別を入力することが可能な入力部１８と、加熱工程の工程種別、冷却工程の工程種別、終了時刻、開始時刻、加熱工程における被調理物の温度、冷却工程における被調理物の温度が記憶される記憶部５３と、を備え、記憶部５３には、加熱工程の工程種別と、冷却工程の工程種別とが対応付けて記憶されることに特徴を有する。【選択図】図１
2014157111.tif 000002
【特許請求の範囲】
【請求項１】
第１調理工程と前記第１調理工程の後に行われる第２調理工程とを少なくとも経て調理される被調理物の温度を記録する調理温度記録システムであって、
前記第１調理工程における前記被調理物の温度及び前記第２調理工程における前記被調理物の温度をそれぞれ取得することが可能な調理温度取得手段と、
前記第１調理工程の工程種別を取得することが可能な工程種別取得手段と、
前記第１調理工程における調理の終了時刻を取得することが可能な調理終了時刻取得手段と、
前記第２調理工程における調理の開始時刻を取得することが可能な調理開始時刻取得手段と、
前記第１調理工程における調理の終了後に、前記第２調理工程の工程種別を入力することが可能な工程種別入力手段と、
前記第１調理工程の前記工程種別、前記第２調理工程の前記工程種別、前記終了時刻、前記開始時刻、前記第１調理工程における前記被調理物の温度、前記第２調理工程における前記被調理物の温度が記憶される記憶手段と、を備え、
前記記憶手段には、前記第１調理工程の前記工程種別と、前記第１調理工程における前記被調理物の温度と、前記工程種別入力手段によって入力された前記第２調理工程の前記工程種別とが対応付けて記憶される調理温度記録システム。
【請求項２】
前記第１調理工程及び前記第２調理工程における前記被調理物の種類を取得することが可能な被調理物情報取得手段を備える請求項１に記載の調理温度記録システム。
【請求項３】
可搬型のハンディターミナルを備え、
前記調理温度取得手段は、前記ハンディターミナルに設けられた温度センサである請求項１又は請求項２に記載の調理温度記録システム。
【発明の詳細な説明】
【技術分野】
【０００１】
本発明は、調理温度記録システムに関する。
【背景技術】
【０００２】
従来、被調理物の品質管理を行うために、調理工程における被調理物の温度を記録することが行われている。被調理物の温度測定は、例えば、温度測定機能を有するハンディターミナルを用いて行われている（例えば、下記特許文献１）。
【先行技術文献】
【特許文献】
【０００３】
【特許文献１】特開２００４−１５７８０３号公報
【発明の概要】
【発明が解決しようとする課題】
【０００４】
ところで、被調理物は、複数の調理工程を経て調理されることがある。一例として、被調理物を加熱工程にて加熱調理した後、冷却工程において冷却する場合などを挙げることができる。
被調理物が複数の調理工程を経て調理される場合、被調理物の工程履歴（被調理物がどのような工程を経て調理されたか）を特定した上で、各調理工程における被調理物の温度を参照できることが好ましい。これにより、例えば、被調理物に調理不具合が発生した場合などに不具合の原因究明を容易に行うことができる。
ここで、被調理物の工程履歴を特定するための手段としては、例えば、被調理物に識別番号を付した管理用のタグを取り付け、各調理工程において、その識別番号を記録することが考えられる。しかしながら、被調理物によっては、タグを取り付けることが困難なものもある。また、タグは調理の妨げとなる場合が多く、被調理物を調理する際には、タグを取り外す必要が生じる場合がある。さらに、調理工程においては、一つの被調理物を複数個に切り分けたりすることも行われ、このような場合、切り分けられた被調理物の全てにタグを取り付けることは困難である。以上のことから、被調理物が複数の調理工程を経由する過程において、被調理物に常にタグを付けておくことは難しく、タグのような識別手段によって被調理物の工程履歴を特定することは困難である。
【０００５】
本発明は上記のような事情に基づいて完成されたものであって、被調理物がどのような工程を経て調理されているかを特定することが可能な調理温度記録システムを提供することを目的とする。
【課題を解決するための手段】
【０００６】
上記課題を解決するために、本発明は、第１調理工程と前記第１調理工程の後に行われる第２調理工程とを少なくとも経て調理される被調理物の温度を記録する調理温度記録システムであって、前記第１調理工程における前記被調理物の温度及び前記第２調理工程における前記被調理物の温度をそれぞれ取得することが可能な調理温度取得手段と、前記第１調理工程の工程種別を取得することが可能な工程種別取得手段と、前記第１調理工程における調理の終了時刻を取得することが可能な調理終了時刻取得手段と、前記第２調理工程における調理の開始時刻を取得することが可能な調理開始時刻取得手段と、前記第１調理工程における調理の終了後に、前記第２調理工程の工程種別を入力することが可能な工程種別入力手段と、前記第１調理工程の前記工程種別、前記第２調理工程の前記工程種別、前記終了時刻、前記開始時刻、前記第１調理工程における前記被調理物の温度、前記第２調理工程における前記被調理物の温度が記憶される記憶手段と、を備え、前記記憶手段には、前記第１調理工程の前記工程種別と、前記第１調理工程における前記被調理物の温度と、前記工程種別入力手段によって入力された前記第２調理工程の前記工程種別とが対応付けて記憶されることに特徴を有する。
【０００７】
本発明によれば、第１調理工程の工程種別と、工程種別入力手段によって入力された第２調理工程（第１調理工程の後に行われる調理工程）の工程種別とが対応付けて記憶される。これにより、作業者は、被調理物が第１調理工程の後にどの工程種別の調理工程に送られたかを容易に確認することができ、被調理物がどのような工程を経て調理されているかを特定することができる。
また、作業者は、第１調理工程における調理の終了時刻と第２調理工程における調理の開始時刻を参照することで、第１調理工程と第２調理工程の対応関係を把握しやすくなり、被調理物の工程履歴をより容易に特定することができる。
【０００８】
上記構成において、前記第１調理工程及び前記第２調理工程における前記被調理物の種類を取得することが可能な被調理物情報取得手段を備えるものとすることができる。
このような構成とすれば、異なる種類の被調理物を調理する場合に対応することができる。
【０００９】
また、可搬型のハンディターミナルを備え、前記調理温度取得手段は、前記ハンディターミナルに設けられた温度センサであるものとすることができる。
このような構成とすれば、ハンディターミナルを用いて被調理物の温度を取得することができる。ハンディターミナルであれば、容易に持ち運びが可能であり、様々な種類の被調理物の温度を容易に測定することができる。
【発明の効果】
【００１０】
本発明によれば、被調理物がどのような工程を経て調理されているかを特定することが可能な調理温度記録システムを提供することができる。
【図面の簡単な説明】
【００１１】
【図１】本実施形態の調理温度記録システムの電気的構成を示すブロック図
【図２】ハンディターミナルを示す正面図
【図３】バーコードシートの一例を示す図
【図４】加熱工程における処理を示すフローチャート
【図５】冷却工程における処理を示すフローチャート
【図６】ハンディターミナルによって取得されたデータを示す表図
【発明を実施するための形態】
【００１２】
＜実施形態＞
本発明の一実施形態を図１ないし図６によって説明する。図１は、本実施形態の調理温度記録システム１０の電気的構成を示すブロック図である。調理温度記録システム１０は、図１に示すように、ハンディターミナル１１と、ハンディターミナル支持台４０と、管理用のパーソナルコンピュータ（以下、ＰＣ５０という）と、を備えている。
【００１３】
本実施形態では、被調理物の調理工程において、作業者がハンディターミナル１１を用いて被調理物の温度を初めとした調理データを取得し、その後、取得した調理データをＰＣ５０の記憶部５３に記憶させることが可能な構成となっている。
なお、ここでいう被調理物の調理工程とは、被調理物の調理や調理に関連した工程のことを言う。調理工程としては、例えば、被調理物（食材等）の加熱調理を行う加熱工程、被調理物の冷却を行う冷却工程、被調理物を冷蔵庫に出し入れする冷蔵工程、被調理物を盛り付ける盛付工程、被調理物を出荷する出荷工程などを例示することができる。
【００１４】
また、上述した調理データとしては、例えば、調理を行う担当者名、料理の品目（メニュー）、調理内容、被調理物の数量、調理時の室温、そして調理前及び調理後の被調理物の温度などを例示することができる。
ハンディターミナル１１は、図１に示すように、制御部１２、記憶部１３、赤外線通信部１４、表示部１５、内蔵時計１６、バーコード読取部１７、入力部１８、音声出力部１９、温度測定部２０を備えている。制御部１２には、記憶部１３、赤外線通信部１４、表示部１５、内蔵時計１６、バーコード読取部１７、入力部１８、音声出力部１９、温度測定部２０がそれぞれ電気的に接続されている。制御部１２は、ＣＰＵ等を備え、格納されたプログラムに基づいて、接続された上記各機器１３〜２０を制御することが可能な構成となっている。
【００１５】
バーコード読取部１７（バーコードリーダ）は、調理工程において、例えば、作業者の名札や調理機器などに付されたバーコードを読み取ることで、コード化された調理データ（作業者名や機器の名称）を取得するためのものである。バーコート読取部１７で読み取った調理データは、記憶部１３に記憶される構成となっている。なお、記憶部１３としては、ＲＡＭや不揮発性のメモリ（フラッシュメモリなど）などを例示することができる。
入力部１８は、図２に示すように、例えば、ハンディターミナル１１の表面上に配列された複数のキー１８Ａによって構成されている。作業者は、入力部１８を構成する各種キー１８Ａを押圧操作することで、ハンディターミナル１１の操作（調理データの入力など）を行うことができる。音声出力部１９としては、例えば、ブザーを例示することができ、ブザーを鳴らすことで作業者に調理終了のタイミングなどを知らせることができる。
【００１６】
また、ハンディターミナル１１には、温度センサ２１（調理温度取得手段）が設けられており、温度センサ２１は温度測定部２０に対して電気的に接続されている。この温度センサ２１は、被調理物の温度を測定するためのもので、測定された温度情報は、温度測定部２０（温度測定回路）を介して記憶部１３に記憶される構成となっている。このような温度センサ２１としては、被調理物の芯温（内部温度）を測定するための芯温センサや被調理物の表面温度を測定可能な放射温度計などを適宜選択することができる。なお、図２では、温度センサ２１の一例として芯温センサを例示してある。
表示部１５は、例えば、液晶ディスプレイなどから構成される。表示部１５には、例えば、作業者が調理データを入力する際の入力画面などが表示される構成となっている。内蔵時計１６は、現在の時刻を計時することが可能な構成とされ、調理の開始時刻などを取得するために設けられている。
【００１７】
ハンディターミナル支持台４０は、ハンディターミナル１１を支持するためのもので、図１に示すように、制御部４１、赤外線通信部４２、ＵＳＢインターフェース４３を備えている。制御部４１には、赤外線通信部４２、ＵＳＢインターフェース４３がそれぞれ電気的に接続されている。制御部４１は、ＣＰＵ等を備え、格納されたプログラムに基づいて、接続された上記各機器４２、４３を制御することが可能な構成となっている。
ＰＣ５０は、制御部５１、ＵＳＢインターフェース５２、記憶部５３、表示部５４を備えている。制御部５１には、ＵＳＢインターフェース５２、記憶部５３、表示部５４がそれぞれ電気的に接続されている。制御部５１は、ＣＰＵ等を備え、格納されたプログラムに基づいて、接続された上記各機器５２、５３、５４を制御することが可能な構成となっている。記憶部５３としては、ハードディスクや不揮発性のメモリ（フラッシュメモリなど）などを例示することができる。
【００１８】
ハンディターミナル１１の赤外線通信部１４及びハンディターミナル支持台４０赤外線通信部４２は、それぞれ、赤外線発光部及び赤外線受光部を備えている。また、赤外線通信部１４と赤外線通信部４２とは、ハンディターミナル１１がハンディターミナル支持台４０に支持された状態において互いに接近して配される構成となっている。これにより、赤外線通信部１４及び赤外線通信部４２は、赤外線によって互いにデータの送受信が可能な構成となっている。
また、ＰＣ５０のＵＳＢインターフェース５２は、ハンディターミナル支持台４０のＵＳＢインターフェース４３とＵＳＢケーブル４５を介して電気的に接続することが可能となっている。これにより、ＰＣ５０とハンディターミナル支持台４０とは、ＵＳＢケーブル４５を介してデータの送受信が可能な構成となっている。
【００１９】
上記構成によって、ハンディターミナル１１によって取得された各調理データは、記憶部１３からハンディターミナル支持台４０を介してＰＣ５０の記憶部５３に転送され、記憶部５３にて記憶される構成となっている。また、ＰＣ５０の記憶部５３に記憶された各調理データは、表示部５４（液晶ディスプレイなど）に表示することが可能となっている。
【００２０】
図４及び図５は、調理工程において、本実施形態の調理温度記録システム１０を用いて調理データを取得する際の処理を示すフローチャートである。本実施形態では、調理工程として、被調理物を加熱調理する加熱工程（第１調理工程、図４参照）と、加熱工程の後に行われる冷却工程（第２調理工程、図５参照）とを例示する。まず、加熱工程では、作業者は、調理前に以下の調理データ（Ａ）〜（Ｇ）をハンディターミナル１１に入力する（図４のステップＳ１０）。
（Ａ）担当者名（作業者名）
（Ｂ）調理機器名
（Ｃ）品目（被調理物の種類）
（Ｄ）調理内容（例えば、焼き物や揚げ物など）
（Ｅ）数量（被調理物の個数や重量など）
（Ｆ）調理前の被調理物温度
（Ｇ）室温
【００２１】
ハンディターミナル１１では、調理データ（Ａ）〜（Ｇ）を入力するための入力画面を表示部１５に順次表示させる処理を行うことが可能となっている。なお、このような表示処理は、例えば、所定のプログラムに従って、制御部１２によって実行される。これにより、作業者は、表示部１５の表示を確認しながら調理データ（Ａ）〜（Ｇ）を順次入力することができる。
上記各調理データの入力手段（取得手段）について具体的に説明する。調理データ（Ａ）〜（Ｃ）は、例えば、図３に示すようなバーコードシート２３に印刷されたバーコードを、バーコード読取部１７で読み取ることで取得することができる。図３では、調理する品目に係る情報を取得するためのバーコードが印刷されたバーコードシート２３を例示している。なお、バーコードシート２３に印刷された各バーコードには、品目の名称（被調理物の種類）の他、その品目の調理時間、調理における被調理物の合格温度などのデータが記録されている。
また、調理データ（Ａ）の担当者名を取得するためのバーコードは、例えば、担当者が身に付ける名札などに印刷されている。また、調理データ（Ｂ）の調理機器名を取得するためのバーコードは、例えば、調理機器に貼ってあるシールなどに印刷されている。
また、調理機器名を取得することで、作業者は、その調理工程がどのような工程であるのか（工程種別）を調理後に特定することができる。例えば、調理機器名がスチームコンベクションオーブンであれば、その工程が加熱工程であることを特定することができる。なお、バーコード読取部１７は、特許請求の範囲に記載の「工程種別取得手段」及び「被調理物情報取得手段」の一例である。
【００２２】
調理データ（Ｄ）、（Ｅ）、（Ｇ）については、例えば、作業者が入力部１８を用いてハンディターミナル１１に入力する。入力部１８で入力された各調理データは記憶部１３に記憶される構成となっている。また、調理データ（Ｆ）の被調理物温度については、作業者が温度センサ２１を用いて測定する。温度センサ２１として、芯温センサを用いる場合を例示すると、作業者は、芯温センサの差し込み部２１Ａ（検知部、図２参照）を被調理物に差し込むことで、その被調理物の内部温度を測定することができる。なお、被調理物の温度測定については、例えば、一つの被調理物について複数箇所（例えば３箇所）で温度測定が行われ、これらの温度が記憶部１３（ひいてはＰＣ５０の記憶部５３）にそれぞれ記憶される構成となっている。また、（Ｇ）の室温については、温度センサ２１を用いて測定してもよい。また、例えば、調理機器に備えつけてある温度計とＰＣ５０とを通信可能な構成とし、温度計によって測定された室温データをＰＣ５０に送信する構成としてもよい。
【００２３】
作業者は、上記調理データ（Ａ）〜（Ｇ）をハンディターミナル１１に入力した後、加熱用の調理機器を操作して、加熱調理を開始する。なお、加熱用の調理機器とは、例えば、スチームコンベクションオーブンやフライヤーなどを例示することができる。また、作業者は、調理機器の調理開始操作を行うのと同時にハンディターミナル１１のキー１８Ａを押圧操作する。キー１８Ａが押圧されると、制御部１２は、内蔵時計１６によって計時されている現在の時刻を調理開始時刻として記憶部１３に記憶させる（図４のステップＳ１１）。
加熱調理が完了した後、作業者は、以下の調理データ（Ｈ）〜（Ｋ）をハンディターミナル１１に入力する（図４のステップＳ１２）。
（Ｈ）担当者名（調理後の被調理物温度を測定する作業者名）
（Ｉ）調理後の被調理物温度
（Ｊ）室温
（Ｋ）次の工程名
【００２４】
ハンディターミナル１１では、表示部１５に調理データ（Ｈ）〜（Ｋ）を入力するための入力画面を順次表示させる処理を行うことが可能となっている。なお、このような表示処理は、所定のプログラムに従って、例えば、制御部１２によって実行される。作業者は、表示部１５の表示を確認しながら調理データ（Ｈ）〜（Ｋ）を順次入力することができる。
調理データ（Ｈ）は、上記調理データ（Ａ）と同様にバーコード読取部１７によって取得される。調理データ（Ｉ）は、上記調理データ（Ｆ）と同様に温度センサ２１を用いて取得される。また、調理後の被調理物温度が所定の合格温度に達していない場合には、音声出力部１９から警告音を出力する処理や、表示部１５に警告用のメッセージを表示する処理が制御部１２によって実行される。
【００２５】
（Ｊ）の室温については、例えば、作業者が入力部１８を用いてハンディターミナル１１に入力する。（Ｋ）の「次の工程名」は、加熱工程の次に行う調理工程の名称（第２調理工程の工程種別）である。本実施形態では、例えば、記憶部１３に、次の工程の候補となる工程名が予め記憶されている。
室温の入力が完了した後、ハンディターミナル１１の表示部１５には、例えば、次の工程の候補となる複数の工程名から「次の工程名」の選択を求める画面（図２参照）が表示される。作業者は、表示部１５の画面を参照しつつ、キー１８Ａを操作して「次の工程名」を選択する。選択された「次の工程名」は、制御部１２によって記憶部１３に記憶される。なお、作業者は、例えば、工程における調理指示などを参照して「次の工程名」を選択する。
本実施形態では、加熱工程の次に冷却工程を行う場合を例示している。このため、作業者は、次の工程名として「冷却工程」を選択すればよい。以上の手順により、加熱工程における各調理データの入力が完了する。
なお、入力部１８は、特許請求の範囲に記載の「第１調理工程における調理の終了後に、第２調理工程の工程種別を入力することが可能な工程種別入力手段」の一例である。また、ここで入力される「次の工程名」は、特許請求の範囲に記載の「工程種別入力手段によって入力された第２調理工程の工程種別」の一例である。
【００２６】
次に、冷却工程について説明を行う。冷却工程においては、まず、上記（Ａ）〜（Ｇ）の調理データを冷却調理前にハンディターミナル１１に入力する（図５のステップＳ２０）。
作業者は、上記（Ａ）〜（Ｇ）の調理データをハンディターミナル１１に入力した後、冷却用の調理機器を操作して、被調理物の冷却調理を行う。ここで言う冷却用の調理機器とは、例えば、急速冷却庫（ブラストチラー）などを例示することができる。
また、作業者は、調理機器の調理開始操作を行うのと同時にハンディターミナル１１のキー１８Ａを押圧操作する。キー１８Ａが押圧されると、制御部１２は、内蔵時計１６によって計時されている現在の時刻を調理開始時刻として記憶部１３に記憶させる処理を行う（図５のステップＳ２１）。なお、内蔵時計１６は、特許請求の範囲に記載の「調理開始時刻取得手段」の一例である。
冷却調理が完了した後、作業者は、加熱工程と同様の手段で上記調理データ（Ｈ）〜（Ｋ）をハンディターミナル１１に入力する（図５のステップＳ２２）。これにより、冷却工程における各調理データの取得が完了する。
なお、冷却工程における上記（Ａ）〜（Ｋ）の調理データの入力手段（取得手段）は、加熱工程で例示した手段と同じである。
【００２７】
また、各調理工程において、調理データ（Ａ）〜（Ｋ）を入力した後、作業者は、ハンディターミナル支持台４０にハンディターミナル１１を設置する。これにより、ハンディターミナル１１の記憶部１３に記憶された上記調理データ（Ａ）〜（Ｋ）、及び調理開始時刻のデータは、ハンディターミナル支持台４０を介して、ＰＣ５０に送信され、記憶部５３（記憶手段）に記憶される。
なお、各調理工程（加熱工程及び冷却工程）においては、例えば、調理工程毎に専用のハンディターミナル１１がそれぞれ用いられる。また、記憶部５３には、加熱工程における調理データ（Ａ）〜（Ｋ）が対応付けて記憶され、冷却工程における調理データ（Ａ）〜（Ｋ）が対応付けて記憶される。なお、一台のハンディターミナル１１を用いて加熱工程及び冷却工程の両工程で調理データの入力を行ってもよい。
【００２８】
また、ＰＣ５０の記憶部５３には、各調理工程（加熱工程及び冷却工程）における調理終了時刻がそれぞれ記憶される。このような各調理工程における調理終了時刻は、例えば、ハンディターミナル１１にて取得された各調理工程における調理開始時刻に基づいて取得することができる。具体的には、ハンディターミナル１１にて取得された調理開始時刻に調理時間（品目毎に定められた所定の時間、例えば、バーコードシート２３のバーコードを読み取ることで取得可能）を加算することで調理終了時刻を求めることができる。
このような調理終了時刻を取得するための処理は、例えば、ＰＣ５０の制御部５１によって行われる。なお、内蔵時計１６及び制御部５１は、特許請求の範囲に記載の「調理終了時刻取得手段」の一例である。また、調理終了時刻を取得するための処理を制御部５１で行う代わりに、例えば、ハンディターミナル１１の制御部１２によって行う構成としてもよく、調理終了時刻を記憶部１３に記憶させる構成としてもよい。
また、調理開始時刻に基づいて調理終了時刻を取得する代わりに、調理終了時刻を直接的に取得する構成としてもよい。具体的には、調理工程における調理が完了すると同時に作業者がハンディターミナル１１のキー１８Ａを操作することで、制御部１２が内蔵時計１６の現在時刻を調理終了時刻として記憶部１３に記憶させる構成としてもよい。
【００２９】
次に、本実施形態の効果を説明する。本実施形態の記憶部５３には、品目、調理機器名、調理開始時刻、調理前の被調理物温度（第１調理工程における被調理物の温度）、調理終了時刻、調理後の被調理物温度（第１調理工程における被調理物の温度）、次の工程名が対応付けて（関連付けて）記憶されている。
これにより、作業者は、調理機器名（第１調理工程の工程種別）と次の工程名（第２調理工程の工程種別）とを参照することで、被調理物が第１調理工程（例えば、加熱工程）の後にどの工程種別の調理工程に送られたかを容易に確認することができ、被調理物がどのような工程を経て調理されているかを特定することができる。
【００３０】
上記効果について、図６を用いて具体的に説明する。図６は、ＰＣ５０の記憶部５３に記憶された調理データの一例を示す表図である。なお、記憶された調理データは、ＰＣ５０の表示部５４に図６のような表図の形態として表示させることが可能となっている。これにより、作業者は表示部５４を見ることで各調理データを参照することが可能となっている。表示部５４への調理データの表示処理は、例えば、制御部５１によって実行される。なお、図６では、調理前の被調理物温度を「調理前温度」、調理後の被調理物温度を「調理後温度」と略記してある。
図６では、加熱工程及び２つの冷却工程（冷却工程Ａ及び冷却工程Ｂ）における調理データを例示している。また、図６では、被調理物としてハンバーグ及びローストチキンを例示しているが、これに限定されるものではない。
作業者は、図６に示すデータに基づいて被調理物の工程履歴を把握することができる。
図６において、ＩＤ３を付したハンバーグを例示すると、このハンバーグは、スチームコンベクションオーブン（図６ではスチコンと略記）によって加熱調理された後、冷却工程に送られていることが分かる（調理機器名及び次の工程名参照）。これにより、ＩＤ３のハンバーグが次に、どの調理工程に送られたかを容易に特定することができる。
【００３１】
次に、図６の冷却工程Ａを見ると、３つの異なる時間帯でハンバーグが冷却調理されている（ＩＤ５〜ＩＤ７）。ＩＤ３のハンバーグは、冷却工程に送られているため、ＩＤ５〜ＩＤ７で示すハンバーグのうち、いずれかがＩＤ３のハンバーグと同一のものであると推測できる。
ここで、加熱工程におけるＩＤ３のハンバーグの調理終了時刻を見ると、１４時４０分に加熱調理が終了している。このため、１４時４０分よりも早い時間に冷却調理が開始されているＩＤ５のハンバーグは、ＩＤ３のハンバーグとは別の物であることが分かる。
また、通常、調理工程では、前工程から送られた順番に被調理物の調理を行う。このため、冷却工程で示すＩＤ６、ＩＤ７のハンバーグのうち、調理開始時間が１４時４０分に最も近いもの、つまり、１４時５０分に冷却調理が開始されているＩＤ６のハンバーグが、ＩＤ３のハンバーグと同一のものであると判断することができる。
【００３２】
このように、同じ品目の被調理物（ハンバーグ）が連続的に調理された場合であっても、加熱工程（前工程）の調理終了時刻と冷却工程（次工程）の調理開始時刻を参照することで、前工程と次工程の対応関係を把握しやすくなり、被調理物の工程履歴をより容易に特定することができる。
【００３３】
また、本実施形態では、加熱工程及び冷却工程において被調理物の種類を取得することが可能なバーコード読取部１７（被調理物情報取得手段）を備えている。このような構成とすれば、異なる種類の被調理物を調理する場合に対応することができる。
【００３４】
これについて、図６を用いて具体的に説明する。図６によれば、加熱工程にて、ハンバーグを調理した後、ローストチキン（ＩＤ４を付す）を調理していることが分かる。そして、冷却工程Ａでは、ハンバーグが冷却調理され、冷却工程Ｂでは、ローストチキンが冷却調理されていることが分かる。これにより、加熱工程にて調理された複数種類の被調理物（図６の例では、ハンバーグ及びローストチキン）がそれぞれ、どの調理工程に送られたかを容易に確認することができる。
【００３５】
また、本実施形態では、可搬型のハンディターミナル１１を備え、調理温度取得手段は、ハンディターミナル１１に設けられた温度センサ２１とされる。このような構成とすれば、ハンディターミナル１１を用いて被調理物の温度を取得することができる。ハンディターミナル１１であれば、容易に持ち運びが可能であり、様々な種類の被調理物の温度を容易に測定することができる。
【００３６】
また、本実施形態では、バーコードシート２３に印刷されたバーコードをバーコード読取部１７で読み取ることで、調理データの一部を取得することが可能な構成となっている。これにより、例えば、手入力などと比べて容易に調理データを取得することができる。
【００３７】
また、本実施形態では、ハンディターミナル１１への「次の工程名」の入力を調理後に行う構成となっている。調理工程においては、「次の工程名」を入力した後に、実際の「次の工程」が変更となる場合も想定される。このような場合、「次の工程名」を再度入力する手間が生じる。
この点、調理後（すなわち、被調理物が次の工程に送られる直前の段階）であれば、実際の「次の工程」が変更となる可能性が低く、「次の工程名」の入力を行うタイミングとして好適である。
【００３８】
＜関連技術＞
以下、本実施形態の調理温度記録システム１０に関連した技術を示す。
（１）関連技術１
本実施形態では、調理工程における被調理物の数量を取得し、記憶することが可能となっている。これにより、調理温度記録システム１０を、例えば、冷蔵工程（調理工程の一例）に適用した場合では、冷蔵庫に入れた被調理物の個数（入庫数）と、冷蔵庫から出した被調理物の個数（出庫数）をそれぞれ記憶しておき、入庫数から出庫数を減算することで、冷蔵庫に保管されている被調理物の個数を管理することができる。
【００３９】
（２）関連技術２
ＰＣ５０と調理機器との間で通信を行う構成としてもよい。このような構成とすれば、調理機器の温度などをＰＣ５０にて管理することができる。また、調理機器の温度異常などが生じた場合には、ＰＣ５０の表示部５４に警告メッセージなどを表示させることで、その異常に対して迅速に対応することができる。
（３）関連技術３
上述したバーコードシート２３を印刷可能な印刷装置をＰＣ５０に接続してもよい。
（４）関連技術４
ＰＣ５０の記憶部５３には、調理機器に関する履歴データ（例えば、機器の購入や修理などの履歴）が記憶されていてもよい。
【００４０】
＜他の実施形態＞
本発明は上記記述及び図面によって説明した実施形態に限定されるものではなく、例えば次のような実施形態も本発明の技術的範囲に含まれる。
【００４１】
（１）上記実施形態では、ハンディターミナル支持台４０を介して、ハンディターミナル１１とＰＣ５０とを電気的に接続する構成を例示したが、これに限定されない。例えば、ハンディターミナル１１とＰＣ５０とを直接的に接続する構成としてもよい。
（２）上記実施形態では、調理工程においてハンディターミナル１１に入力する調理データとして、調理データ（Ａ）〜（Ｋ）を例示したが、調理データは上記（Ａ）〜（Ｋ）に限定されるものではない。また、ハンディターミナル１１において、調理データ（Ａ）〜（Ｋ）のうち、任意の調理データのみを入力するような設定に変更することも可能である。このような設定の変更は、例えば、ハンディターミナル１１の制御部１２などに格納されたプログラムをＰＣ５０を用いて書き換えることで行うことができる。また、調理データ（Ａ）〜（Ｋ）を入力する順番は適宜変更可能である。
【００４２】
（３）上記実施形態では、ハンディターミナル１１によって調理データを取得した後、調理データをＰＣ５０の記憶部５３に記憶させ、調理データをＰＣ５０の表示部５４に表示させる構成を例示したが、これに限定されない。例えば、ＰＣ５０を備えていなくてもよく、ハンディターミナル１１の記憶部１３に記憶させた調理データをハンディターミナル１１の表示部１５に表示させる構成としてもよい。また、上記実施形態では、記憶手段としてＰＣ５０の記憶部５３を例示したが、これに限定されず、例えば、記憶手段としてハンディターミナル１１の記憶部１３を例示することができる。
【００４３】
（４）上記実施形態では、第１調理工程として加熱工程を例示し、第２調理工程として冷却工程を例示したが、これに限定されない。第１調理工程及び第２調理工程は、順番に行われる２つの調理工程であればよく、様々な種類の調理工程（例えば、加熱工程、冷却工程、冷蔵工程、盛付工程、出荷工程など）をそれぞれ適宜選択することができる。また、第１調理工程及び第２調理工程は、同じ工程種別の工程としてもよい。
【００４４】
（５）上記実施形態では、工程種別取得手段及び被調理物情報取得手段として、それぞれバーコード読取部１７を例示したが、これに限定されない。例えば、工程種別取得手段及び被調理物情報取得手段として入力部１８を例示してもよく、作業者がキー１８Ａ（入力部１８）を操作することで、工程種別（調理工程の種類）や被調理物情報をハンディターミナル１１に入力する構成としてもよい。
【００４５】
（６）上記実施形態では、工程種別入力手段として、入力部１８を例示したが、これに限定されない。例えば、工程種別入力手段としてバーコード読取部１７を例示することができる。また、調理開始時刻取得手段又は調理終了時刻取得手段として、入力部１８を例示してもよい。具体的には、調理工程における調理開始時刻と調理終了時刻を作業者が入力部１８にて入力する構成としてもよい。
【００４６】
（７）上記実施形態では、調理温度取得手段として、ハンディターミナル１１に接続された温度センサ２１を例示したが、これに限定されない。調理温度取得手段として、入力部１８を用いてもよい。例えば、ハンディターミナル１１と接続されていない温度計を用いて被調理物の温度を測定した後、測定結果の数値を入力部１８によってハンディターミナル１１に入力してもよい。
【符号の説明】
【００４７】
１０…調理温度記録システム  １１…ハンディターミナル  １６…内蔵時計（調理終了時刻取得手段、調理開始時刻取得手段）  １７…バーコード読取部（工程種別取得手段、被調理物情報取得手段）  １８…入力部（工程種別入力手段）  ２１…温度センサ（調理温度取得手段）  ５３…記憶部（記憶手段）
【図１】
2014157111.tif 000003
【図２】
2014157111.tif 000004
【図３】
2014157111.tif 000005
【図４】
2014157111.tif 000006
【図５】
2014157111.tif 000007
【図６】
2014157111.tif 000008